(57)【要約】【課題】簡易な構成で複数の多方向スイッチについて同時操作を規制できるスイッチ装置を提供する。【解決手段】複数方向に操作可能な２つの多方向スイッチ１、２と、多方向スイッチのうち先に操作された多方向スイッチのみを操作可能状態とする排他出力部４とを有し、多方向スイッチによりモーター７を駆動するものであって、多方向スイッチ１、２はいずれか一方向にのみ操作可能とされると共に、それぞれ電流供給ライン８、９に接続され、排他出力部４は、電流供給ラインのうちいずれか一方を選択的に無効化可能とされ、一方の多方向スイッチがいずれか一方向に操作されたときに、該操作された一方の多方向スイッチの電流供給ラインを有効とすると共に、他方の多方向スイッチの電流供給ラインを無効化する。【選択図】図４
2011113777.tif 000002
【特許請求の範囲】
【請求項１】
複数方向に操作可能な２つの多方向スイッチと、該多方向スイッチのうち先に操作された多方向スイッチのみを操作可能状態とする排他出力部とを有し、前記多方向スイッチによりモーターを駆動するスイッチ装置において、
前記多方向スイッチはいずれか一方向にのみ操作可能とされると共に、それぞれ電流供給ラインに接続され、前記排他出力部は、前記電流供給ラインのうちいずれか一方を選択的に無効化可能とされ、一方の多方向スイッチがいずれか一方向に操作されたときに、該操作された一方の多方向スイッチの電流供給ラインを有効とすると共に、他方の多方向スイッチの電流供給ラインを無効化することを特徴とするスイッチ装置。
【請求項２】
前記多方向スイッチはそれぞれ複数の切替接点を有し、該切替接点は前記モーターに対する電源電位部への接続とアースへの接続とを操作に伴い切替可能とされ、
前記排他出力部は、前記切替接点をアース接続させる多方向スイッチを切替える切替駆動手段と、前記多方向スイッチの操作に伴い前記切替駆動手段を動作させる動作検知手段とを備え、
前記動作検知手段は、各多方向スイッチと接続される２つの入力部と、前記切替駆動手段と接続される１つの出力部とを備え、
操作に伴いいずれか一方の前記多方向スイッチを構成する切替接点により、前記モーターと電源電位部とが接続されて、一方の入力部に電源電圧が印加されると、前記出力部から前記切替駆動手段に対し、操作がなされた一方の多方向スイッチをアース接続させる第１出力がなされ、一方の多方向スイッチの操作が維持された状態で他方の多方向スイッチが操作されても前記第１出力を維持し、
操作に伴い他方の前記多方向スイッチを構成する切替接点により、前記モーターと電源電位部とが接続されて、他方の入力部に電源電圧が印加されると、前記出力部から前記切替駆動手段に対し、操作がなされた他方の多方向スイッチをアース接続させる第２出力がなされ、他方の多方向スイッチの操作が維持された状態で一方の多方向スイッチが操作されても前記第２出力を維持することを特徴とする請求項１記載のスイッチ装置。
【請求項３】
前記動作検知手段は、ベース部に印加される電圧の有無でオン・オフが切替わるスイッチング素子を３つ備え、第１のスイッチング素子はベース部が前記一方の入力部に接続されると共に、電源電位に接続された前記切替駆動手段側の出力部とアースの間のオン・オフを切替え、第２のスイッチング素子はベース部が前記他方の入力部に接続されると共に、前記第１のスイッチング素子のベース部とアースの間のオン・オフを切替え、第３のスイッチング素子はベース部が前記一方の入力部に接続されると共に、前記第２のスイッチング素子のベース部とアースの間のオン・オフを切替えるように接続されることを特徴とする請求項２記載のスイッチ装置。
【請求項４】
前記切替接点は、前記モーターの端子に接続される駆動端子と、前記モーターを駆動する電源電位に接続される電源端子と、アース接続される接地端子とを備えて、前記駆動端子から前記電源端子または接地端子のいずれかへの接続を操作により切替可能とされ、前記切替接点は２つ１組で配置され、各組の駆動端子はそれぞれ前記モーターの両端子に接続されると共に、一方向の操作に伴いいずれか一方の接続状態が切替えられて、前記モーターに電源が供給されることを特徴とする請求項２または３記載のスイッチ装置。
【請求項５】
前記入力部は、前記多方向スイッチに設けられる各切替接点の駆動端子とそれぞれ接続線で接続され、各接続線には前記切替接点側から排他出力部側にのみ電流を流すダイオードが設けられることを特徴とする請求項４記載のスイッチ装置。
【発明の詳細な説明】
【技術分野】
【０００１】
本発明は、複数のモーターを選択的に駆動するためのスイッチ装置に関し、特に複数の方向に操作可能な多方向スイッチを２つ備え、一方の多方向スイッチを操作中に他方の多方向スイッチの操作が無効化されるスイッチ装置に関する。
【背景技術】
【０００２】
従来、車両のパワーシートなどにおいては、複数のモーターを選択的に駆動するためのスイッチ装置が用いられている。パワーシートのスイッチ装置には、複数方向に操作可能な多方向スイッチが設けられて、操作に伴ってシートを前後方向と上下方向及び傾倒方向にそれぞれ移動させるモーターを駆動できるようにしている。
【０００３】
パワーシート用のモーターは、電流値が非常に高いため、同時に複数のモーターが駆動されると、配線やコネクターの電流容量を超えてしまう。このため、スイッチ装置にはモーターが同時に駆動されないようにする機構が必要となる。スイッチ装置においてモーターの同時動作を禁止するために、多方向スイッチを機械的な手段で一方向にのみ操作可能としたものが知られている。このようなスイッチ装置としては、例えば特許文献１に挙げるようなものがある。
【先行技術文献】
【特許文献】
【０００４】
【特許文献１】特開平７−１９２５７６号公報
【発明の概要】
【発明が解決しようとする課題】
【０００５】
パワーシート用のスイッチ装置は、多方向スイッチの態様が様々であり、中には多方向スイッチを複数設ける場合もある。このように多方向スイッチが複数設けられている場合であって、多方向スイッチ同士が離隔して配置されている場合などには、操作方向を機械的な手段で一方向のみに規制することは困難なことがある。また、機械的な手段を設けることができたとしても、構造が複雑になったり、また部品数が多くなったりしてコストアップを招くという問題があった。
【０００６】
本発明は前記課題を鑑みてなされたものであり、簡易な構成で複数の多方向スイッチについて同時操作を規制できるスイッチ装置を提供することを目的とする。
【課題を解決するための手段】
【０００７】
前記課題を解決するため、本発明に係るスイッチ装置は、複数方向に操作可能な２つの多方向スイッチと、該多方向スイッチのうち先に操作された多方向スイッチのみを操作可能状態とする排他出力部とを有し、前記多方向スイッチによりモーターを駆動するスイッチ装置において、
前記多方向スイッチはいずれか一方向にのみ操作可能とされると共に、それぞれ電流供給ラインに接続され、前記排他出力部は、前記電流供給ラインのうちいずれか一方を選択的に無効化可能とされ、一方の多方向スイッチがいずれか一方向に操作されたときに、該操作された一方の多方向スイッチの電流供給ラインを有効とすると共に、他方の多方向スイッチの電流供給ラインを無効化することを特徴として構成されている。
【０００８】
また、本発明に係るスイッチ装置は、前記多方向スイッチはそれぞれ複数の切替接点を有し、該切替接点は前記モーターに対する電源電位部への接続とアースへの接続とを操作に伴い切替可能とされ、
前記排他出力部は、前記切替接点をアース接続させる多方向スイッチを切替える切替駆動手段と、前記多方向スイッチの操作に伴い前記切替駆動手段を動作させる動作検知手段とを備え、
前記動作検知手段は、各多方向スイッチと接続される２つの入力部と、前記切替駆動手段と接続される１つの出力部とを備え、
操作に伴いいずれか一方の前記多方向スイッチを構成する切替接点により、前記モーターと電源電位部とが接続されて、一方の入力部に電源電圧が印加されると、前記出力部から前記切替駆動手段に対し、操作がなされた一方の多方向スイッチをアース接続させる第１出力がなされ、一方の多方向スイッチの操作が維持された状態で他方の多方向スイッチが操作されても前記第１出力を維持し、
操作に伴い他方の前記多方向スイッチを構成する切替接点により、前記モーターと電源電位部とが接続されて、他方の入力部に電源電圧が印加されると、前記出力部から前記切替駆動手段に対し、操作がなされた他方の多方向スイッチをアース接続させる第２出力がなされ、他方の多方向スイッチの操作が維持された状態で一方の多方向スイッチが操作されても前記第２出力を維持することを特徴として構成されている。
【０００９】
さらに、本発明に係るスイッチ装置は、前記動作検知手段は、ベース部に印加される電圧の有無でオン・オフが切替わるスイッチング素子を３つ備え、第１のスイッチング素子はベース部が前記一方の入力部に接続されると共に、電源電位に接続された前記切替駆動手段側の出力部とアースの間のオン・オフを切替え、第２のスイッチング素子はベース部が前記他方の入力部に接続されると共に、前記第１のスイッチング素子のベース部とアースの間のオン・オフを切替え、第３のスイッチング素子はベース部が前記一方の入力部に接続されると共に、前記第２のスイッチング素子のベース部とアースの間のオン・オフを切替えるように接続されることを特徴として構成されている。
【００１０】
さらにまた、本発明に係るスイッチ装置は、前記切替接点は、前記モーターの端子に接続される駆動端子と、前記モーターを駆動する電源電位に接続される電源端子と、アース接続される接地端子とを備えて、前記駆動端子から前記電源端子または接地端子のいずれかへの接続を操作により切替可能とされ、前記切替接点は２つ１組で配置され、各組の駆動端子はそれぞれ前記モーターの両端子に接続されると共に、一方向の操作に伴いいずれか一方の接続状態が切替えられて、前記モーターに電源が供給されることを特徴として構成されている。
【００１１】
そして、本発明に係るスイッチ装置は、前記入力部は、前記多方向スイッチに設けられる各切替接点の駆動端子とそれぞれ接続線で接続され、各接続線には前記切替接点側から排他出力部側にのみ電流を流すダイオードが設けられることを特徴として構成されている。
【発明の効果】
【００１２】
本発明に係るスイッチ装置によれば、電気的な構成によって多方向スイッチの同時操作を規制するので、機械的な手段によりこれら多方向スイッチの同時動作を規制する場合に比べて、各多方向スイッチの配置の自由度を増し、また構造を簡易化できると共に、部品点数も少なくすることができる
【図面の簡単な説明】
【００１３】
【図１】本実施形態におけるスイッチ装置を構成する操作部分の正面図である。
【図２】第１操作ノブに対応する第１多方向スイッチの平面図である。
【図３】第２操作ノブに対応する第２多方向スイッチの平面図である。
【図４】第１多方向スイッチと第２多方向スイッチの同時操作を禁止するための電気回路図である。
【図５】他の形態の排他出力部を有する電気回路図である。
【発明を実施するための形態】
【００１４】
本発明の実施形態について図面に沿って詳細に説明する。本実施形態のスイッチ装置は、車両のパワーシートを操作するために用いられるものであって、シートを複数の方向に動作させるモーターのスイッチとして機能するものである。図１には、本実施形態におけるスイッチ装置を構成する操作部分の正面図を示している。スイッチ装置の操作部分は、例えば運転者のシートの側面部などに配置される。
【００１５】
図１に示すように、本実施形態のスイッチ装置を構成する操作部分には、２つの操作ノブ１０、２０が離隔して配置されている。第１操作ノブ１０は、略長方形状を有してなり、長手方向に沿う２方向と、該長手方向と直交する短手方向に沿う２方向に、それぞれ操作可能となっている。第２操作ノブ２０は、略長方形状を有してなり、長手方向に沿う２方向と、該長手方向と直交する短手方向に沿う２方向と、中央部を中心とした左右傾倒方向とに、それぞれ操作可能となっている。
【００１６】
図２には、第１操作ノブ１０に対応する第１多方向スイッチ１の平面図を示している。第１多方向スイッチ１は、内部に切替接点などを納めるケース１１を有しており、このケース１１の上面に、第１操作ノブ１０を保持すると共に、その操作に伴い４方向に移動自在な可動部材１２が配置されている。可動部材１２は、中央部に第１操作ノブ１０を保持する突出状のノブ取付部１２ａを有しており、ノブ取付部１２ａに隣接した一方側に第１平面部１２ｂを、他方側に第２平面部１２ｃを、それぞれ備えている。
【００１７】
ケース１１からは、内部の切替接点と連係する複数のスライド部品が突出しており、これらのスライド部品は可動部材１２と連係して、その移動に伴いスライド移動するように構成されている。スライド部品としては、第１スライダー１３と第２スライダー１４、第３スライダー１５及び第４スライダー１６が突出しており、各スライド部品毎にケース１１内の切替接点と連係している。
【００１８】
可動部材１２は、第１平面部１２ｂで第１スライダー１３を保持すると共に、第３スライダー１５と隣接し、また第２平面部１２ｃで第２スライダー１４を保持すると共に、第４スライダー１６と隣接する。可動部材１２が第１操作ノブ１０の操作により図中上下左右４方向のいずれか一方向に移動すると、これらスライド部品のいずれかがスライド移動し、ケース１１のいずれか１つの切替接点が切替わる。
【００１９】
ケース１１の上面には、立ち上がる壁部１１ｅが周方向に沿って形成されており、この壁部１１ｅには、第１切欠部１１ａと第２切欠部１１ｂ、第３切欠部１１ｃ及び第４切欠部１１ｄが形成されている。第１切欠部１１ａは可動部材１２の第１平面部１２ｂの図中横方向の幅と略同幅とされ、第２切欠部１１ｂは可動部材１２の第１平面部１２ｂの図中縦方向の幅と略同幅とされる。また、第３切欠部１１ｃは可動部材１２の第２平面部１２ｃの図中横方向の幅と略同幅とされ、第４切欠部１１ｄは可動部材１２の第２平面部１２ｃの図中縦方向の幅と略同幅とされる。
【００２０】
これにより、可動部材１２が４方向のいずれかに移動したとき、各平面部のいずれかが、切欠部に納まった状態となり、壁部１１ｅにより移動方向と直交する方向への移動を規制することができる。このような機械的規制手段により、可動部材１２は必ず一方向にのみ移動することとなり、複数のスライド部品が同時にスライドされることがないので、第１多方向スイッチ１に対応するモーターが複数同時に駆動されることを防止することができる。
【００２１】
図３には、第２操作ノブ２０に対応する第２多方向スイッチ２の平面図を示している。第２多方向スイッチ２は、内部に切替接点などを納めるケース２１を有しており、このケース１１の上面に、第２操作ノブ２０を保持すると共に、その操作に伴い６方向に移動自在な可動部材２２が配置されている。可動部材２２は、中央部に第２操作ノブ２０を保持する突出状のノブ取付部２２ａを有しており、ノブ取付部２２ａから四方に向かって第１平面部２２ｂ、第２平面部２２ｃ、第３平面部２２ｄ、及び第４平面部２２ｅを備えている。
【００２２】
ケース１１からは、第１スライダー２３、第２スライダー２４、第３スライダー２５、第４スライダー２６、第５スライダー２７、及び第６スライダー２８が突出しており、これらのスライド部品は、可動部材２２の一方向への移動に伴い、いずれか１つまたは２つが押圧されてスライド移動する。
【００２３】
可動部材２２は、第１平面部２２ｂで第１スライダー２３を保持し、第２平面部２２ｃで第２スライダー２４を保持し、第３平面部２２ｄで第３スライダー２５を保持し、第４平面部２２ｅで第４スライダー２６を保持している。また、第５スライダー２７と第６スライダー２８は、第１平面部２２ｂの両側と対向配置されている。
【００２４】
可動部材２２は、第２操作ノブ２０によって図中上下左右方向に移動された場合、各平面部により第１スライダー２３と第２スライダー２４の組、あるいは第３スライダー２５と第４スライダー２６の組を、それぞれスライド移動させる。また、可動部材が回転方向に移動された場合、第１平面部２２ｂのいずれかの側部によって第５スライダー２７または第６スライダー２８をスライド移動させる。
【００２５】
ケース２１の上面には、立ち上がる壁部２１ｅが周方向に沿って形成されており、この壁部２１ｅには、第１切欠部２１ａと第２切欠部２１ｂ、第３切欠部２１ｃ及び第４切欠部２１ｄが形成されている。可動部材２２の各平面部は、先端部が各切欠部と適合するように突出しており、可動部材２２の直線方向の移動に伴い、平面部の突出部分が対向する切欠部に納まり、移動した方向と直交する方向にスライドすることを規制する。また、可動部材２２が回転された場合には、各平面部先端の突出部分が、壁部２１ｅに当接し、それ以外の方向への可動部材２２の移動を規制する。このような機械的規制手段により、可動部材２２は必ず一方向にのみ移動することとなり、複数のスライド部品が同時にスライドされることがないので、第２多方向スイッチ２に対応するモーターが複数同時に駆動されることを防止することができる。
【００２６】
このように、第１多方向スイッチ１と第２多方向スイッチ２のそれぞれにおいて、複数モーターの同時駆動の禁止は、機械的規制手段によってなされる。一方、第１多方向スイッチ１と第２多方向スイッチ２が同時に操作された場合に、複数のモーターが同時に駆動させることを防止するための機構としては、電気的な手段が用いられる。図４には、第１多方向スイッチ１と第２多方向スイッチ２の同時操作を禁止するための電気回路図を示している。
【００２７】
図４に示すように、スイッチ装置を構成する電気回路は、第１多方向スイッチ１と第２多方向スイッチ２及びこれらの多方向スイッチのうち先に操作された多方向スイッチのみを操作可能状態とする排他出力部４とで構成されている。第１多方向スイッチ１は、４方向の操作に伴いオン・オフの状態が切替わる第１接点部３０及び第２接点部３１を有している。また、第２多方向スイッチ２は、６方向の操作に伴いオン・オフの状態が切替わる第３接点部３２と第４接点部３３及び第５接点部３４を有している。
【００２８】
第１多方向スイッチ１は、電源電位部６とアース５とを繋ぐ第１電流供給ライン８の一部を構成しており、その接続状態を切替えて第１モーター７ａまたは第２モーター７ｂへの電流供給を切替える。第２多方向スイッチ２は、電源電位部６とアース５とを繋ぐ第２電流供給ライン９の一部を構成しており、その接続状態を切替えて第３モーター７ｃまたは第４モーター７ｄあるいは第５モーター７ｅへの電流供給を切替える。
【００２９】
第１多方向スイッチ１と第２多方向スイッチ２の各接点部は、それぞれ２つ１組の切替接点を有している。第１接点部３０は第１切替接点３０ａ及び第２切替接点３０ｂを、第２接点部３１は第３切替接点３１ａ及び第４切替接点３１ｂを、第３接点部３２は第５切替接点３２ａ及び第６切替接点３２ｂを、第４接点部３３は第７切替接点３３ａ及び第８切替接点３３ｂを、第５接点部３４は第９切替接点３４ａ及び第１０切替接点３４ｂを、それぞれ備えている。
【００３０】
第１接点部３０は、第１多方向スイッチ１において第１操作ノブ１０の長手方向に沿う２方向の操作に伴い、オン・オフが切替えられ、第１モーター７ａに対する電流供給の状態を切替えることができる。第１切替接点３０ａと第２切替接点３０ｂは、それぞれ第１モーター７ａに接続された駆動端子３５と、電源電位部６に接続された電源端子３６と、アース側に接続される接地端子３７とを備えており、初期状態では駆動端子３５が接地端子３７と接続状態にあり、第１操作ノブ１０が所定の１方向に操作されることで、第１切替接点３０ａにおいて駆動端子３５と電源端子３６が接続状態となり、第１モーター７ａが一方向に正転する。第１操作ノブ１０が反対側の１方向に操作されると、第２切替接点３０ｂにおいて駆動端子３５と電源端子３６が接続状態となり、第１モーター７ａが反対方向に逆転する。
【００３１】
第１接点部３０以外の接点部も、同様に構成されており、第１操作ノブ１０または第２操作ノブ２０が一方向に操作されるのに伴い、いずれか１つの切替接点が切替えられ、いずれかのモーターが正転または逆転する。これらの説明は省略する。
【００３２】
排他出力部４は、第１操作ノブ１０または第２操作ノブ２０でいずれか１方向の操作がなされたとき、第１多方向スイッチ１と第２多方向スイッチ２のいずれか一方の接地端子３７のみを、アース接続するように切替え、それによって第１電流供給ライン８と第２電流供給ライン９のいずれか一方を選択的に無効化するものである。そのために、排他出力部４は、切替接点をアース接続させる多方向スイッチを切替える切替駆動手段４０と、多方向スイッチの操作に伴い切替駆動手段４０を動作させる動作検知手段４１とを有している。
【００３３】
切替駆動手段４０は、一方がアース５に接続され、他方が第１電流供給ライン８または第２電流供給ライン９のいずれかに選択的に接続される切替部４８と、切替部４８を駆動する駆動部４９とを有している。切替部４８は、初期状態では第２電流供給ライン９をアース５に接続しており、第１電流供給ライン８はアース５に接続されていない。また、駆動部４９は、電源電位と接続されており、動作検知手段４１の動作によって電流供給がなされる。
【００３４】
動作検知手段４１は、第１多方向スイッチ１の各駆動端子３５に接続された第１入力部４２と、第２多方向スイッチ２の各駆動端子３５に接続された第２入力部４３とを有し、また切替駆動手段４０の駆動部４９に接続される出力部４４を有している。第１入力部４２と第２入力部４３には、各駆動端子３５からの接続線毎に、ダイオードが設けられて、切替接点側から排他出力部４側にのみ電流が流れるようにしている。
【００３５】
第１多方向スイッチ１が操作されて第１入力部４２から入力があったとき、出力部４４からは第１出力がなされて、第１出力を受けた切替駆動手段４０は第２電流供給ライン９を遮断して第２多方向スイッチ２の操作を無効化する。一方、第２多方向スイッチ２が操作されて第２入力部４３から入力があったとき、出力部４４からは第２出力がなされて、第２出力を受けた切替駆動手段４０は第１電流供給ライン８を遮断して第１多方向スイッチ１の操作を無効化する。
【００３６】
また、動作検知手段４１は、トランジスタからなり、ベース部に印加される電圧の有無でオン・オフが切替わる３つのスイッチング素子を備えている。第１スイッチング素子４５は、ベース部が第１入力部４２に接続され、切替駆動手段４０を構成する駆動部４９とアースの間のオン・オフを切替えるように接続される。第２スイッチング素子４６は、ベース部が第２入力部４３に接続され、第１スイッチング素子４５及び第３スイッチング素子４７の各々のベース部とアースの間のオン・オフを切替えるように接続される。第３スイッチング素子４７は、ベース部が第１入力部４２に接続され、第２スイッチング素子４６のベース部とアースの間のオン・オフを切替えるように接続される。
【００３７】
動作検知手段４１がこのように構成されることにより、多方向スイッチのいずれもが操作されていない状態から、第１多方向スイッチ１または第２多方向スイッチ２が操作されたときに、以下のように動作する。まず、第１多方向スイッチ１がいずれか一方向に操作されると、第１入力部４２を介して電源電位部６の電圧が、第１スイッチング素子４５のベース部と第３スイッチング素子４７のベース部に印加される。
【００３８】
第１スイッチング素子４５のベース部に電圧が印加されることにより、第１スイッチング素子４５はオンとなり、切替駆動手段４０を構成する駆動部４９がアース接続される第１出力をなす。これにより、駆動部４９に電流が供給されて切替部４８を駆動し、第１電流供給ライン８をアース５と接続させる。これによって、第１多方向スイッチ１を介し第１モーター７ａまたは第２モーター７ｂに電流が供給される。
【００３９】
第３スイッチング素子４７のベース部に電圧が印加されることにより、第３スイッチング素子４７はオンとなり、第２スイッチング素子４６のベース部はアースと同電位となって接地される。この状態で、第２多方向スイッチ２が操作されて第２入力部４３から入力があっても、第２スイッチング素子４６はオンとはならず、第１出力の状態が維持される。このため、第２多方向スイッチ２を操作しても第２電流供給ライン９は遮断されたままで、第３モーター７ｃ、第４モーター７ｄ、及び第５モーター７ｅに電流が供給されることもない。したがって、第１多方向スイッチ１を操作している間は、第２多方向スイッチ２の操作が無効化される。
【００４０】
次に、多方向スイッチのいずれもが操作されていない状態から、第２多方向スイッチ２がいずれか一方向に操作されたときには、以下のように動作する。第２入力部４３を介して電源電位部６の電圧が、第２スイッチング素子４６のベース部に印加される。第２スイッチング素子４６のベース部に電圧が印加されることにより、第２スイッチング素子４６はオンとなり、第１スイッチング素子４５のベース部が接地される。第１スイッチング素子４５のベース部が接地されることで第１スイッチング素子４５はオフとなり、切替駆動手段４０を構成する駆動部４９がアースと切り離される第２出力をなす。これにより、駆動部４９には電流が供給されず、切替部４８は第２電流供給ライン９をアース５と接続させた状態となる。これによって、第２多方向スイッチ２を介し第３モーター７ｃまたは第４モーター７ｄあるいは第５モーター７ｅに電流が供給される。
【００４１】
このとき、第１多方向スイッチ１が操作されて第１入力部４２から入力があっても、第１スイッチング素子４５のベース部は第２スイッチング素子４６によってアースと接続された状態であるため、第１スイッチング素子４５はオンになることができず、第２出力の状態が維持される。また、第３スイッチング素子４７のベース部も第２スイッチング素子４６によってアースと接続された状態であるため、第３スイッチング素子４７はオフを維持しており、第２スイッチング素子４６のベース部に作用することはなく、第２スイッチング素子４６はオンを維持する。このため、第１多方向スイッチ１を操作しても第１電流供給ライン８は遮断されたままで、第１モーター７ａ、第２モーター７ｂに電流が供給されることもない。したがって、第２多方向スイッチ２を操作している間は、第１多方向スイッチ１の操作が無効化される。
【００４２】
このように、電気的な構成によって第１多方向スイッチ１と第２多方向スイッチ２の同時操作を規制することとしたので、機械的な手段によりこれら多方向スイッチの同時動作を規制する場合に比べて、各多方向スイッチの配置の自由度を増し、また構造を簡易化できると共に、部品点数も少なくすることができる。
【００４３】
次に、排他出力部の他の形態についても説明する。図５には、他の形態の排他出力部１０４を有する電気回路図を示している。この他の形態においては、排他出力部１０４を構成する切替駆動手段４０、第１入力部４２、第２入力部４３は前述の実施形態と同様である一方、動作検知手段１４１の構成が若干異なる。
【００４４】
動作検知手段１０４は、トランジスタとダイオードとからなり、ベース部に印加される電圧の有無でオン・オフが切替わる２つのスイッチング素子と１つのダイオードを備えている。第４スイッチング素子１４５は、ベース部が第１入力部４２に接続され、切替駆動手段４０を構成する駆動部４９とアースの間のオン・オフを切替えるように接続される。第５スイッチング素子１４６は、ベース部が第２入力部４３に接続され、第４スイッチング素子１４５のベース部とアースの間のオン・オフを切替えるように接続される。第５スイッチング素子１４６のベース部及びエミッタ部間には第１抵抗Ｒ１が介在する。ダイオードＤ１は、第２入力部４３と第５スイッチング素子１４６との間に介在する第２抵抗Ｒ２と第３抵抗Ｒ３との接続点から、出力部４４へ電流が流れるように接続される。
【００４５】
動作検知手段１４１がこのように構成されることにより、多方向スイッチのいずれもが操作されていない状態から、第１多方向スイッチ１または第２多方向スイッチ２が操作されたときに、以下のように動作する。まず、第１多方向スイッチ１がいずれか一方向に操作されると、第１入力部４２を介して電源電位部６の電圧が、第４スイッチング素子１４５のベース部に印加される。
【００４６】
第４スイッチング素子１４５のベース部に電圧が印加されることにより、第４スイッチング素子１４５はオンとなり、切替駆動手段４０を構成する駆動部４９がアース接続される第１出力をなす。これにより、駆動部４９に電流が供給されて切替部４８を駆動し、第１電流供給ライン８をアース５と接続させる。これによって、第１多方向スイッチ１を介し第１モーター７ａまたは第２モーター７ｂに電流が供給される。
【００４７】
この状態で、第２多方向スイッチ２が操作されて第２入力部４３から入力があっても、第５スイッチング素子１４６は所定の条件を満たしていればオンとはならず、第１出力の状態が維持される。このため、第２多方向スイッチ２を操作しても第２電流供給ライン９は遮断されたままで、第３モーター７ｃ、第４モーター７ｄ、及び第５モーター７ｅに電流が供給されることもない。したがって、第１多方向スイッチ１を操作している間は、第２多方向スイッチ２の操作が無効化される。
【００４８】
前述した所定の条件とは、次の式を満たすことである。
【数１】
2011113777.tif 000003
Ｖｃｅ（ｓａｔ）：第４スイッチング素子１４５オン時のコレクタ−エミッタ間飽和電圧
Ｖｆ：ダイオードＤ１の順方向電圧
ｒ１：第１抵抗Ｒ１の抵抗値
ｒ２：第２抵抗Ｒ２の抵抗値
Ｖｂｅ：第５スイッチング素子１４６がオンとなるベース−エミッタ間順方向電圧
【００４９】
次に、多方向スイッチのいずれもが操作されていない状態から、第２多方向スイッチ２がいずれか一方向に操作されたときに、以下のように動作する。第２入力部４３を介して電源電位部６の電圧が、第５スイッチング素子１４６のベース部に印加される。第５スイッチング素子１４６のベース部に電圧が印加されることにより、第５スイッチング素子１４６はオンとなり、第４スイッチング素子１４５のベース部が接地される。第４スイッチング素子１４５のベース部が接地されることで、第４スイッチング素子１４５はオフとなり、切替駆動手段４０を構成する駆動部４９がアースと切り離される第２出力をなす。これにより、駆動部４９には電流が供給されず、切替部４８は第２電流供給ライン９をアース５と接続させた状態となる。これによって、第２多方向スイッチ２を介し第３モーター７ｃまたは第４モーター７ｄあるいは第５モーター７ｅに電流が供給される。
【００５０】
このとき、第１多方向スイッチ１が操作されて第１入力部４２から入力があっても、第４スイッチング素子１４５のベース部は第５スイッチング素子１４６によってアースと接続された状態であるため、第４スイッチング素子１４５はオンになることができず、第２出力の状態が維持される。このため、第１多方向スイッチ１を操作しても第１電流供給ライン８は遮断されたままで、第１モーター７ａ、第２モーター７ｂに電流が供給されることもない。したがって、第２多方向スイッチ２を操作している間は、第１多方向スイッチ１の操作が無効化される。
【００５１】
排他出力部を本形態のような構成とすることで、第１の形態においてトランジスタからなるスイッチング素子が３つ必要であったのに対し、本形態では２つのトランジスタと１つのダイオードで構成できるので、コストを下げることができる。一方で、本形態においては数１に示す条件を満たす必要がある。また、第１の形態の排他出力部の方が、耐ノイズ性は高い。
【００５２】
以上、本発明の実施形態について説明したが、本発明の適用は本実施形態には限られず、その技術的思想の範囲内において様々に適用されうるものである。
【符号の説明】
【００５３】
１    第１多方向スイッチ
２    第２多方向スイッチ
４    排他出力部
５    アース
６    電源電位部
８    第１電流供給ライン
９    第２電流供給ライン
１０    第１操作ノブ
２０    第２操作ノブ
３５    駆動端子
３６    電源端子
３７    接地端子
４０    切替駆動手段
４１    動作検知手段
４２    第１入力部
４３    第２入力部
４４    出力部
４５    第１スイッチング素子
４６    第２スイッチング素子
４７    第３スイッチング素子
【図１】
2011113777.tif 000004
【図２】
2011113777.tif 000005
【図３】
2011113777.tif 000006
【図４】
2011113777.tif 000007
【図５】
2011113777.tif 000008